(57)【要約】【課題】利便性を向上させることができる印刷装置及び印刷条件反映方法を提供する。【解決手段】プリンタは、画面表示部３１を備えており、その画面表示部３１には複数のメニュー画面が表示される。表示制御部４４は、標準モード、ＣＤ−Ｒモード及びベーシックモードの３つのモードを備えており、それらモードを切り換えることで画面データ記憶部４５から標準画面、ＣＤ−Ｒ画面及びベーシック画面のいずれか１つの画面データを読み出し、画面表示部３１に表示する。また、表示制御部４４は、各モードにおいて設定された印刷条件を記憶可能な標準モード記憶部４６、ＣＤ−Ｒモード記憶部４７及びベーシックモード記憶部４８を備えており、モードが切り換わる際、その切り換え直前のモードに対応した記憶部から印刷条件を読み出して現在のモードに対応する記憶部に反映し、メニュー画面を表示する。【選択図】      図５
2005111800.tif 000002
【特許請求の範囲】
【請求項１】
メニュー画面を表示可能な表示手段と、
前記メニュー画面として各種印刷条件を設定可能な標準画面を表示する標準モード、及び同じく前記メニュー画面として前記標準画面を構成するメニューの一部により所定の印刷条件を設定可能に構成された専用画面を表示する専用モードを備え、両モードを切り換えて前記表示手段に前記標準画面又は専用画面を表示する表示制御手段と、
前記標準モードにて設定された印刷条件を記憶する第１の記憶手段と、
前記専用モードにて設定された印刷条件を記憶する第２の記憶手段と、
前記モードが切り換わる際に、切り換え前のいずれかのモードにおいて設定された印刷条件を対応する記憶手段から読み出して切り換え後のモードに対応する記憶手段に記憶させて設定を反映させる反映手段と、を備えたことを特徴とする印刷装置。
【請求項２】
前記反映手段による印刷条件の反映を行うか否かを設定可能な設定手段を備えたことを特徴とする請求項１に記載の印刷装置。
【請求項３】
メニュー画面を表示可能な表示手段と、前記メニュー画面として各種印刷条件を設定可能な標準画面を表示する標準モード、及び同じく前記メニュー画面として前記標準画面を構成するメニューの一部により所定の印刷条件を設定可能に構成された専用画面を表示する専用モードを備え、両モードを切り換えて前記表示手段に前記標準画面又は専用画面を表示する表示制御手段とを備える印刷装置に使用される印刷条件反映方法であって、
前記標準モードにて設定された印刷条件と前記専用モードにて設定された印刷条件とをそれぞれ記憶し、前記モードが切り換わる際、切り換え前のいずれかのモードにおいて設定された印刷条件を切り換え後のモードに反映させることを特徴とする印刷条件反映方法。
【発明の詳細な説明】
【技術分野】
【０００１】
本発明は、メニュー画面を表示可能な表示手段を備えた印刷装置及び印刷条件反映方法に関する。
【背景技術】
【０００２】
従来、プリンタや複合機等では、各種メモリーカード（フラッシュメモリ等）を挿入するスロットを有し、メモリーカードから取得した画像を印刷するスタンドアロン型のものが知られている。この種の印刷装置は、ホストコンピュータ（ＰＣ）が不要（又は接続の手間が不要）であるため利便性が高い。また、このような印刷装置では、取得した画像を印刷するに際して、印刷条件を設定するためのメニュー画面を表示する画面表示部を備えた操作パネルが設けられている（例えば、特許文献１参照）。このメニュー画面は、例えば、写真選択・印刷対象（Ａ４普通紙、はがき、ＣＤ−Ｒ等）・レイアウト・枚数等の各種印刷条件を設定可能な多数のメニューで構成されている。ユーザは、操作パネルに設けられた操作ボタンを操作してメニュー画面に表示されるメニューを選択して印刷条件を設定して印刷を行う。
【０００３】
ところが、上記メニュー画面は１つの画面上に多数のメニューが操作ボタンの操作に従って順次表示される構成である。つまり、ユーザが所望するメニュー以外にも多数のメニューが表示されるため、目的とするメニューが見つけ難い等の使い勝手が悪く、操作性に乏しいという問題があった。また、さほど機能を必要としない人にとっては、多数のメニューはかえって操作が複雑であり、操作を間違え易いという問題があった。
【０００４】
このため、１つのメニュー画面ではなく、所定の印刷条件に合わせて構成された専用画面を含む複数のメニュー画面を表示することが考えられる。例えば、メニュー画面として、各種メニューが多数表示される標準画面に加えて、その標準画面を構成するメニューの一部によりＣＤ−Ｒに関連する印刷条件を設定可能に構成された専用画面（ＣＤ−Ｒ画面）を用意する。さらに、画面切換用のスイッチを設け、ユーザがそのスイッチを操作することで標準画面とＣＤ−Ｒ画面とが切り換わるようにする。これにより、ＣＤ−Ｒに印刷したい場合、そのスイッチを押すことでＣＤ−Ｒ画面、つまり、所望するメニューで構成された専用画面が表示されるため、使い勝手が良く、操作性が向上される。
【特許文献１】特開２００３−２４１９９０号公報（明細書の段落［００２７］、［００２８］、第１図）
【発明の開示】
【発明が解決しようとする課題】
【０００５】
ところで、プリンタ等の印刷装置では、ある写真を複数の異なる印刷対象に続けて印刷したい場合がある。ここで、上記のように複数のメニュー画面を表示可能な印刷装置において、ＣＤ−Ｒ画面上のメニューにて印刷する写真及びその写真を印刷する枚数を設定し、その印刷条件でＣＤ−Ｒに印刷したとする。そして、そのＣＤ−Ｒの場合と同じ写真及び枚数、つまり、同じ印刷条件で普通紙にも印刷したい場合、メニュー画面をＣＤ−Ｒ画面から標準画面に切り換える必要があるが、画面を切り換えると設定していた印刷条件は保持されずリセットされてしまう。このため、ユーザは、標準画面において始めから印刷条件の設定をやり直す必要があり、利便性に乏しい。
【０００６】
本発明は、上記実情に鑑みなされたものであって、その目的は、利便性を向上させることができる印刷装置及び印刷条件反映方法を提供することにある。
【課題を解決するための手段】
【０００７】
上記課題を解決するために、本発明は、メニュー画面を表示可能な表示手段と、前記メニュー画面として各種印刷条件を設定可能な標準画面を表示する標準モード、及び同じく前記メニュー画面として前記標準画面を構成するメニューの一部により所定の印刷条件を設定可能に構成された専用画面を表示する専用モードを備え、両モードを切り換えて前記表示手段に前記標準画面又は専用画面を表示する表示制御手段と、前記標準モードにて設定された印刷条件を記憶する第１の記憶手段と、前記専用モードにて設定された印刷条件を記憶する第２の記憶手段と、前記モードが切り換わる際に、切り換え前のいずれかのモードにおいて設定された印刷条件を対応する記憶手段から読み出して切り換え後のモードに対応する記憶手段に記憶させて設定を反映させる反映手段と、を備えたことを要旨とする。
【０００８】
この発明によれば、反映手段により切り換え後のモードに切り換え前のいずれかのモードにおける印刷条件が反映される。このため、切り換え前と同じ印刷条件で切り換え後も印刷したい場合に始めから印刷条件を設定し直す必要がなくなり、利便性を向上させることができる。
【０００９】
また、本発明は、前記反映手段による反映を行うか否かを設定可能な設定手段を備えたことを要旨とする。この発明によれば、ユーザは反映するか否かを選択可能となるため、より利便性を向上させることができる。
【００１０】
さらに、本発明は、メニュー画面を表示可能な表示手段と、前記メニュー画面として各種印刷条件を設定可能な標準画面を表示する標準モード、及び同じく前記メニュー画面として前記標準画面を構成するメニューの一部により所定の印刷条件を設定可能に構成された専用画面を表示する専用モードを備え、両モードを切り換えて前記表示手段に前記標準画面又は専用画面を表示する表示制御手段とを備える印刷装置に使用される印刷条件反映方法であって、前記標準モードにて設定された印刷条件と前記専用モードにて設定された印刷条件とをそれぞれ記憶し、前記モードが切り換わる際、切り換え前のいずれかのモードにおいて設定された印刷条件を切り換え後のモードに反映させることを要旨とする。
【００１１】
この発明によれば、モードが切り換わる際、切り換え前のいずれかのモードにおいて設定された印刷条件が切り換え後のモードに反映される。つまり、切り換え前と同じ印刷条件で切り換え後も印刷することが可能となる。従って、画面を切り換えた後、再度始めから印刷条件を設定し直す必要がなくなり、利便性の向上を図ることができる。
【発明を実施するための最良の形態】
【００１２】
以下、本発明に係る印刷装置を具体化した一実施の形態について図１〜図６を参照にして説明する。
図１に示すように、印刷装置としてのプリンタ１１は、プリンタ本体１２と、プリンタ本体１２の背面側に設けられた給紙装置１２ａとを備えている。給紙装置１２ａにセットされた用紙は１枚ずつプリンタ本体１２に給紙されるようになっている。
【００１３】
プリンタ本体１２は、そのケース１３の内部に印刷機構１４を備え、図示しない紙送り装置によって用紙が紙送りされて印刷が行われる。詳しくは、印刷機構１４は、レール１５に案内されてプラテン１６の軸方向と平行に往復移動可能なキャリッジ１７を備えている。キャリッジ１７はキャリッジモータ１８とタイミングベルト１９を介して連結され、キャリッジモータ１８の駆動によって駆動される。キャリッジ１７の下部には、用紙と対向する下面側に印刷ヘッド２１が配設されており、この印刷ヘッド２１からインクが吐出されて用紙Ｓに印刷が行われる。印刷された用紙Ｓはプリンタ本体１２の正面下部に開口する排出口１２ｂから排紙される。なお、キャリッジ１７の移動方向を主走査方向といい、用紙Ｓの紙送り方向を副走査方向という。
【００１４】
プリンタ１１は、デジタルカメラ等により画像が記録されたメモリカードを挿し込むためのスロット２２を有する読取装置２３をプリンタ本体１２に備えている。なお、本実施の形態におけるプリンタ１１は、ホストコンピュータ（ＰＣ）と接続することなくメモリカード内の画像を印刷可能なスタンドアロン型のプリンタである。
【００１５】
図２及び図３に示すように、プリンタ本体１２は排出口１２ｂの上方にＣＤ−Ｒ印刷する際のガイドとなるＣＤ−Ｒガイド２４を備えている。詳しくは、ＣＤ−Ｒガイド２４は、トレイ２５が挿入される挿入口２４ａを開閉可能に覆うようにしてプリンタ本体１２に組み付けられている。このＣＤ−Ｒガイド２４が開けられた状態（図３の状態）で、メディアとしてのＣＤ−Ｒ２６が載置されたトレイ２５が挿入口２４ａからプリンタ本体１２内に挿入され、そのＣＤ−Ｒ２６に対して印刷が行われる。なお、ＣＤ−Ｒ２６に印刷を行うに際してＣＤ−Ｒ２６の厚み等を考慮して印刷機構を調節する必要があるが、本実施の形態ではＣＤ−Ｒガイド２４が開けられることに連動して、印刷の基準（高さ）が挿入されるトレイ２５のＣＤ−Ｒ２６に合うようにプラテン１６及びキャリッジ１７等の印刷機構が自動で調節されるようになっている。
【００１６】
また、プリンタ本体１２には、挿入口２４ａの上部で、かつ閉じられたＣＤ−Ｒガイド２４に押圧される位置に検知手段としてのセンサ部２７（図３参照）が設けられている。センサ部２７は、ＣＤ−Ｒガイド２４の開閉を検知するセンサであり、ＣＤ−Ｒガイド２４の開閉状態に応じた信号を出力する。
【００１７】
プリンタ１１は、プリンタ本体１２の上面右部に操作パネル３０を備えており、その操作パネル３０は、表示手段としての画面表示部３１及び操作部３２を備えている。画面表示部３１には、各種印刷条件を設定するためのメニュー画面が表示される。操作部３２は、メニュー画面に表示されるメニューを選択する際に使用されるカーソルボタン３２ａ及び選択したメニューを決定するための決定ボタン３２ｂを備えており、これらが操作されることで印刷条件が設定される。
【００１８】
画面表示部３１は、メニュー画面として、標準画面Ｇ１（図４（ａ）参照）、専用画面としてのＣＤ−Ｒ画面Ｇ２（図４（ｂ）参照）、及び同じく専用画面としてのベーシック画面Ｇ３（図４（ｃ）参照）の３種類の画面を表示可能に構成されている。標準画面Ｇ１は、写真選択（印刷する画像の選択）・枚数（印刷枚数）・レイアウト・詳細設定等の複数のメニューで構成されている。詳細設定とは、主に画像自体に関するメニューで構成されており、この詳細設定のメニューを選択すると、例えば、画質、明るさ等のメニューが表示される。
【００１９】
ＣＤ−Ｒ画面Ｇ２は、標準画面Ｇ１を構成するメニューのうちＣＤ−Ｒに関連する一部のメニュー、本実施の形態では、写真選択・枚数・レイアウト・ＣＤ−Ｒ詳細設定のメニューを主として構成されている。このＣＤ−Ｒ詳細設定メニューは、標準画面Ｇ１における詳細設定と基本的に同じであるが、通常、ＣＤ−Ｒ画面Ｇ２においては、画質や明るさ等の画像自体に関する印刷条件に関しては所定の条件に固定され、例えば、画質は最高画質、明るさは標準で固定されている。
【００２０】
ベーシック画面Ｇ３は、標準画面Ｇ１を構成するメニューの一部である写真選択・枚数の２つのメニューで構成されているとともに、それらメニューの文字の大きさが標準画面Ｇ１やＣＤ−Ｒ画面Ｇ２における文字に比べて大きく表示されている。なお、ベーシック画面Ｇ３でもＣＤ−Ｒ画面Ｇ２と同様に画像自体に関する印刷条件は上記のように所定の条件に固定されている。
【００２１】
また、操作部３２には、画面表示部３１に表示される上記３種類の画面を切り換えるための切換ボタン３２ｃが設けられており、ユーザにより押圧操作されることでいずれか１つの画面に切り換え可能に構成されている。この切換ボタン３２ｃが押されることで、例えば標準画面Ｇ１→ＣＤ−Ｒ画面Ｇ２→ベーシック画面Ｇ３→標準画面Ｇ１の順で循環的に切り換わるようになっている。
【００２２】
次に、本実施の形態におけるプリンタの電気的な構成について説明する。
図５に示すように、プリンタ１１は、センサ部２７、プリンタ１１のメイン制御を司るＣＰＵ４１、ＲＡＭ４２、ＲＯＭ４３、操作部３２、及び画面表示部３１におけるメニュー画面の表示制御を行う表示制御手段及び反映手段としての表示制御部４４を備えており、それぞれがバスＢを介して接続されている。表示制御部４４には、標準画面Ｇ１、ＣＤ−Ｒ画面Ｇ２及びベーシック画面Ｇ３の３つの画面のデータが記憶された画面データ記憶部４５が接続されている。さらに、表示制御部４４には、第１の記憶手段としての標準モード記憶部４６、第２の記憶手段としてのＣＤ−Ｒモード記憶部４７及びベーシックモード記憶部４８が接続されている。なお、画面データ記憶部４５は例えばＲＯＭで構成され、一方、標準モード記憶部４６、ＣＤ−Ｒモード記憶部４７及びベーシックモード記憶部４８は例えばＲＡＭで構成される。
【００２３】
センサ部２７は、ＣＤ−Ｒガイド２４が開けられるとバスＢを介してＯＮ信号をＣＰＵ４１に対して出力し、ＣＤ−Ｒガイド２４が閉じられると、バスＢを介してＯＦＦ信号をＣＰＵ４１に対して出力する。
【００２４】
ＣＰＵ４１は、ＲＯＭ４３に記憶された各種プログラムに基づきＲＡＭ４２をメモリ領域として印刷機構１４等を制御する。また、ＣＰＵ４１は、センサ部２７からＯＮ信号を入力すると、バスＢを介してＯＰＥＮ信号を表示制御部４４に出力し、センサ部２７からＯＦＦ信号を入力すると、バスＢを介してＣＬＯＳＥ信号を表示制御部４４に出力する。
【００２５】
表示制御部４４は、主として自身に組み込まれた制御アプリケーション（以下、制御アプリという）４４ａに従って画面表示部３１の表示制御を行う。詳しくは、制御アプリ４４ａは、上記３種類の画面に対応した標準モード、専用モードとしてのＣＤ−Ｒモード、及びベーシックモードの３つのモードを備えている。そして、表示制御部４４は、制御アプリ４４ａにおける上記３つのモードを切り換えることで、画面データ記憶部４５から標準画面Ｇ１、ＣＤ−Ｒ画面Ｇ２、ベーシック画面Ｇ３のいずれか１つを読み出し、画面表示部３１に表示する。また、表示制御部４４は、画面を切り換える際に切り換える旨を所定時間（例えば１秒）の間だけ画面表示部３１に表示（ポップアップ表示）するようになっている。
【００２６】
また、表示制御部４４は、各モードにおいて設定された印刷条件を各モードに対応して設けられた標準モード記憶部４６、ＣＤ−Ｒモード記憶部４７、ベーシックモード記憶部４８に格納して記憶する。詳しくは、表示制御部４４は、標準モードにおいて設定された印刷条件を標準モード記憶部４６に、ＣＤ−Ｒモードにおいて設定された印刷条件をＣＤ−Ｒモード記憶部４７に、ベーシックモードにおいて設定された印刷条件をベーシックモード記憶部４８に記憶するようになっている。また、表示制御部４４は、モードが切り換わる際に、その切り換え直前のモードにおいて設定された印刷条件を記憶部４６，４７，４８のいずれかから読み出し、切り換え後のモードにおける記憶部４６，４７，４８にその読み出した印刷条件を記憶させて反映するようになっている。
【００２７】
次に、上記構成からなるプリンタの作用について図６を参照にして説明する。
まず、プリンタ１１の画面表示部３１には標準画面Ｇ１が表示されているとする。そして、ユーザは、標準画面Ｇ１上のメニューを選択して各種印刷条件を設定する。この際、印刷条件として、例えば、写真選択メニューにより印刷する写真が１つ選択され、さらには、枚数メニューにより印刷枚数が設定されたとする。すると、ステップＳ１１において、表示制御部４４の制御アプリ４４ａは、印刷する写真、枚数のデータ、つまり、その設定された印刷条件を標準モード記憶部４６に格納して記憶する。
【００２８】
次に、ユーザによりＣＤ−Ｒガイド２４が開けられると、ステップＳ１２において、センサ部２７はバスＢを介してＯＮ信号をＣＰＵ４１に対して出力する。そして、ステップＳ１３において、ＣＰＵ４１は、ＯＮ信号を入力するとＣＤ−Ｒガイド２４が開けられたと判断し、バスＢを介して表示制御部４４にＯＰＥＮ信号を出力する。
【００２９】
ステップＳ１４において、表示制御部４４は、ＣＰＵ４１からＯＰＥＮ信号を受信すると、画面表示部３１に現在表示されている画面からＣＤ−Ｒ画面Ｇ２に切り換える旨を所定時間（例えば１秒）の間、画面表示部３１に表示して通知を行う。その後、ステップＳ１５において、表示制御部４４は、制御アプリ４４ａに対してモード切換信号を出力する。すると、ステップＳ１６において、制御アプリ４４ａは現在のモードからＣＤ−Ｒモードに移行する。
【００３０】
ステップＳ１７において、制御アプリ４４ａは、標準モードからＣＤ−Ｒモードに切り換わる際、標準モード記憶部４６に記憶されている上記印刷条件（写真・枚数）を読み出してＣＤ−Ｒモード記憶部４７に書き込んで反映させる。そして、ステップＳ１８において、制御アプリ４４ａは、標準モードの印刷条件が反映されたＣＤ−Ｒモード記憶部４７から印刷条件を読み出すとともに、ＣＤ−Ｒ画面Ｇ２のデータを画面データ記憶部４５から読み出して画面表示部３１にＣＤ−Ｒ画面Ｇ２を表示する。これにより、標準モードにおいて設定された印刷条件がＣＤ−Ｒモードにおいても反映され、この状態で印刷が開始されると、ＣＰＵ４１により標準モードと同じ印刷条件（写真・枚数）でＣＤ−Ｒ２６に対して印刷が行われる。
【００３１】
一方、ＣＤ−Ｒ２６への印刷が終了し、トレイ２５が挿入口から取り出されてＣＤ−Ｒガイド２４が閉じられると、ステップＳ２１において、センサ部２７はバスＢを介してＣＰＵ４１に対してＯＦＦ信号を出力する。そして、ステップＳ２２において、ＣＰＵ４１は、ＯＦＦ信号を入力するとＣＤ−Ｒガイド２４が閉じられた状態であると判断し、バスＢを介してＣＬＯＳＥ信号を出力する。
【００３２】
ステップＳ２３において、表示制御部４４は、ＣＰＵ４１からＣＬＯＳＥ信号を入力すると、制御アプリ４４ａに対してモード切換信号を出力する。これにより、ステップＳ２４において、制御アプリ４４ａは、現在のＣＤ−Ｒモードから１つ前（直前）のモードに移行する。つまり、本実施の形態では、標準画面Ｇ１を表示する標準モードからＣＤ−Ｒモードに移行しているため、標準モードに移行する。そして、ステップＳ２５において、制御アプリ４４ａは、上記と同様にしてＣＤ−Ｒモードにおける印刷条件を標準モードに反映し、ステップＳ２６において標準画面Ｇ１を表示する。
【００３３】
なお、標準モードとＣＤ−Ｒモードとの切り換わりに限らず、例えば、標準モードからベーシックモードに切り換わる際には、制御アプリ４４ａは、標準モード記憶部４６に記憶されている印刷条件を読み出してベーシックモード記憶部４８に書き込む。そして、制御アプリ４４ａは、標準モードの印刷条件が反映されたベーシックモード記憶部４８から印刷条件を読み出すとともに、ベーシック画面Ｇ３のデータを画面データ記憶部４５から読み出して画面表示部３１にベーシック画面Ｇ３を表示する。
【００３４】
上記実施の形態によれば、以下のような効果を得ることができる。
（１）切り換え後のモードに切り換え直前のモードにおいて設定された印刷条件が反映される構成とした。このため、切り換え前と同じ印刷条件で切り換え後も印刷したい場合に始めから印刷条件を設定し直す必要がなくなり、利便性を向上させることができる。
【００３５】
なお、上記実施の形態は以下のような変形例を採用することもできる。
（変形例１）上記実施の形態では、切り換え直前のモードにおける印刷条件を切り換え後の現在のモードに反映していたが、切り換え２つ前等、切り換える前の複数のモードに渡って設定された印刷条件を切り換え後のモードに反映可能にしてもよい。この場合、制御アプリ４４ａは、標準モード記憶部４６、ＣＤ−Ｒモード記憶部４７及びベーシックモード記憶部４８のそれぞれに複数の印刷条件を記憶し、また、いずれのモードにおける印刷条件を反映させるかを選択可能なスイッチ等を新たに設ける必要がある。
【００３６】
（変形例２）上記実施の形態では、モードを切り換えることで自動で切り換え後のモードに印刷条件が反映される構成であったが、反映するか否かを設定可能な設定手段（例えば、スイッチ）を設け、ユーザが反映するか否かを判断できるようにしてもよい。
【００３７】
（変形例３）上記実施の形態では、記憶部４６，４７，４８をＲＡＭで構成していたが、フラッシュメモリ、ＥＥＰＲＯＭ等の書き換え可能な不揮発性のメモリで構成してもよい。これにより、プリンタ１１の電源を落としても印刷条件が保持されるため、電源を投入すると、電源を落とす前に設定された印刷条件で各モードが立ち上がり、電源を落とす前の印刷条件で印刷することが可能となる。
【００３８】
（変形例４）上記実施の形態では、専用画面としてＣＤ−Ｒ画面Ｇ２及びベーシック画面Ｇ３を備えていたが、この他の種類の画面を備える構成であってもよい。例えば、写真サイズ（例えば、Ｌサイズ（８９×１２７））の大きさで写真印刷を行うための専用画面を設けてもよい。
【００３９】
（変形例５）上記実施の形態では、専用モードとしてＣＤ−Ｒモードを備え、専用画面としてＣＤ−Ｒに関連するメニューで構成されたＣＤ−Ｒ画面を表示していたが、ＣＤ−Ｒに限らずＤＶＤ−Ｒ等の他のメディアであってもよい。特に、ＤＶＤ−Ｒの場合は、ＣＤ−Ｒと形状、大きさが同じであるため上記実施の形態と同様の構成で印刷を行うことができる。
【００４０】
次に、上記実施の形態及び変形例から把握できる技術的思想について記載する。
（１）前記反映手段は、切り換え直前のモードにおいて設定された印刷条件を対応する記憶手段から読み出して切り換え後のモードに対応する記憶手段に記憶させて設定を反映させることを特徴とする請求項１又は請求項２に記載の印刷装置。
【００４１】
（２）前記第１の記憶手段及び第２の記憶手段は、書き換え可能な不揮発性のメモリで構成されていることを特徴とする請求項１，２及び前記技術的思想（１）のいずれか一項に記載の印刷装置。
【００４２】
（３）前記専用モードは、前記専用画面として前記標準画面を構成するメニューのうちメディアの印刷条件に関連するメニューで構成されたメディア用の画面を表示することを特徴とする請求項１，２及び前記技術的思想（１），（２）のいずれか一項に記載の印刷装置。
【図面の簡単な説明】
【００４３】
【図１】本実施の形態のプリンタの一部破断斜視図。
【図２】ＣＤ−Ｒトレイが閉じられた状態の同プリンタの斜視図。
【図３】ＣＤ−Ｒトレイが開けられた状態の同プリンタの斜視図。
【図４】（ａ）は標準画面、（ｂ）はＣＤ−Ｒ画面、（ｃ）はベーシック画面を示す説明図。
【図５】同プリンタの電気的構成図。
【図６】本実施の形態におけるプリンタの表示制御を示すシーケンスチャート。
【符号の説明】
【００４４】
Ｇ１…標準画面、Ｇ２…専用画面としてのＣＤ−Ｒ画面、Ｇ３…専用画面としてのベーシック画面、１１…印刷装置としてのプリンタ、３１…表示手段としての画面表示部、４４…表示制御手段及び反映手段としての表示制御部、４６…第１の記憶手段としての標準モード記憶部、４７…第２の記憶手段としてのＣＤ−Ｒモード記憶部、４８…第２の記憶手段としてのベーシックモード記憶部。
【図１】
2005111800.tif 000003
【図２】
2005111800.tif 000004
【図３】
2005111800.tif 000005
【図４】
2005111800.tif 000006
【図５】
2005111800.tif 000007
【図６】
2005111800.tif 000008